(57)【要約】【課題】タッチ式入力装置において、ユーザをより正確な操作に導くことにある。【解決手段】ユーザが２本の指を通じてなぞり操作（フリック操作）を開始すると、そのフリック操作を継続した場合に実行される制御内容を示す操作ガイド４１がディスプレイ２５に表示される。これにより、ユーザは操作ガイド４１を見つつ、なぞり操作を継続するか否かを決めることができる。従って、ユーザをより正確な操作に導くことができる。【選択図】図３
2014137728.tif 000002
【特許請求の範囲】
【請求項１】
ディスプレイと、
操作面に対するユーザのなぞり操作を検出する検出部と、
前記なぞり操作の開始を検出すると、そのなぞり操作を継続した場合に実行される制御内容を示す操作ガイドを前記ディスプレイに表示する制御部と、を備えた
ことを特徴とするタッチ式入力装置。
【請求項２】
請求項１に記載のタッチ式入力装置において、
前記制御部は、前記なぞり操作において、前記ディスプレイに接触する指の本数に応じて異なる制御内容を実行するとともに、前記なぞり操作の開始時における指の本数に応じて前記操作ガイドを前記ディスプレイに表示する
ことを特徴とするタッチ式入力装置。
【発明の詳細な説明】
【技術分野】
【０００１】
この発明は、タッチ式入力装置に関する。
【背景技術】
【０００２】
従来、タッチパッドをタッチ操作することでディスプレイの表示画面の選択及び制御の実行が可能に構成されるタッチ式入力装置が知られている（例えば、特許文献１参照）。
また、タッチ式入力装置において、タッチ操作された指の本数に応じて可能となる操作が変更される構成が公知である（例えば、特許文献２参照）。
【先行技術文献】
【特許文献】
【０００３】
【特許文献１】特開２０１０−９３２１号公報
【特許文献２】特開２０１１−２３７９６３号公報
【発明の概要】
【発明が解決しようとする課題】
【０００４】
このタッチ式入力装置において、その操作に不慣れなユーザは、タッチした指の本数に応じた操作結果を予想することができない。また、ユーザは、この操作結果を覚えた後であっても、自分が行おうとしている操作が狙い通りの結果となるか否かを、操作後にしか知ることができない。
【０００５】
この発明は、こうした実情に鑑みてなされたものであり、その目的は、ユーザをより正確な操作に導くことができるタッチ式入力装置を提供することにある。
【課題を解決するための手段】
【０００６】
以下、上記目的を達成するための手段及びその作用効果について説明する。
上記課題を解決するタッチ式入力装置は、ディスプレイと、操作面に対するユーザのなぞり操作を検出する検出部と、前記なぞり操作の開始を検出すると、そのなぞり操作を継続した場合に実行される制御内容を示す操作ガイドを前記ディスプレイに表示する制御部と、を備えている。
【０００７】
この構成によれば、ユーザが操作面に対してなぞり操作を開始すると、そのなぞり操作を継続した場合に実行される制御内容を示す操作ガイドがディスプレイに表示される。これにより、ユーザは操作ガイドを見つつ、なぞり操作を継続するか否かを決めることができる。従って、ユーザをより正確な操作に導くことができる。
【０００８】
上記タッチ式入力装置について、前記制御部は、前記なぞり操作において、前記ディスプレイに接触する指の本数に応じて異なる制御内容を実行するとともに、前記なぞり操作の開始時における指の本数に応じて前記操作ガイドを前記ディスプレイに表示することが好ましい。
【０００９】
この構成によれば、なぞり操作の開始時における指の本数に応じて操作ガイドがディスプレイに表示される。よって、タッチした指の本数に適した操作ガイドを表示させることができ、ユーザをより正確な操作に導くことができる。
【発明の効果】
【００１０】
本発明によれば、タッチ式入力装置において、ユーザをより正確な操作に導くことができる。
【図面の簡単な説明】
【００１１】
【図１】本発明の一実施形態における車両に搭載されるタッチパッド及びディスプレイを示す斜視図。
【図２】本発明の一実施形態におけるタッチ式入力装置の構成を示すブロック図。
【図３】本発明の一実施形態における（ａ）〜（ｄ）はタッチ操作に応じたディスプレイ画面を示した正面図。
【図４】本発明の一実施形態における制御装置による処理手順を示すフローチャート。
【図５】本発明の一実施形態における制御装置による処理手順を示すフローチャート。
【図６】他の実施形態におけるディスプレイ画面を示した正面図。
【発明を実施するための形態】
【００１２】
以下、本発明のタッチ式入力装置を車両に搭載した一実施形態を図１〜図５に従って説明する。
図１に示すように、ダッシュボード１の中央部（センタークラスタ）にはディスプレイ２５が嵌め込まれている。センターコンソール２には、シフトレバー３が設けられ、その手前側にタッチパッド１３がその表面（操作面）を露出させる態様で設けられている。ユーザは、タッチパッド１３へのタッチ操作（なぞり操作）を通じて、ディスプレイ２５の表示画面等の操作を行う。
【００１３】
図２に示すように、タッチ式入力装置１０は、ディスプレイ２５を含む表示部２０と、タッチパッド１３と、制御装置１１とを備える。
表示部２０は、制御装置１１との間で例えばＣＡＮ（Controller area network）通信を通じて通信可能に構成されている。
【００１４】
タッチパッド１３には、検出部としてタッチセンサ１４が内蔵されている。タッチセンサ１４は、タッチパッド１３に指が触れたことに伴うタッチ座標（ｘ，ｙ）及びタッチ点数を検出し、その検出結果を制御装置１１に出力する。制御装置１１は制御部に相当する。
【００１５】
制御装置１１は、タッチ点数及びそのタッチ座標（ｘ，ｙ）を示すタッチ情報信号Ｓ１、フリック確定信号Ｓ２、フリック開始信号Ｓ３を表示部２０に出力する。表示部２０は、制御装置１１からの信号Ｓ１〜Ｓ３等に基づき自身のディスプレイ２５画面を制御する。
【００１６】
図３（ａ）に示すように、表示部２０はディスプレイ２５上に円形のカーソル４２を表示するとともに、制御装置１１からのタッチ情報信号Ｓ１に基づき１本の指でなぞり操作された旨判断すると、そのなぞり操作距離及び方向に合わせてカーソル４２を画面内で移動させる。
【００１７】
図３（ｂ）に示すように、表示部２０は、制御装置１１からのタッチ情報信号Ｓ１に基づき２本の指で同時にタッチパッド１３にタッチ操作された旨判断すると操作ガイド４１を表示する。この操作ガイド４１は、外側へと向かう複数の矢印が円上に配列されてなる。制御装置１１は、このときの座標をフリック開始基準座標（Ｘ０，Ｙ０）とするとともに、その後のタッチ情報信号Ｓ１に基づき、現在のＸ方向及びＹ方向の座標（Ｘ，Ｙ）を認識する。そして、制御装置１１は、以下の式を満たしたとき、２本指でのなぞり操作、すなわちフリック操作が開始した旨を示すフリック開始信号Ｓ３を出力する。
【００１８】
ΔＸ＋ΔＹ＞α・・・・（１）
ここで、ΔＸ＝｜Ｘ−Ｘ０｜、ΔＹ＝｜Ｙ−Ｙ０｜である。また、αは定数であって、なぞり操作の開始時に検出が予想される移動距離に基づき設定される。
【００１９】
また、制御装置１１は、ΔＸ及びΔＹの比率に基づき、推定フリック方向（なぞり操作方向）を検出し、その検出結果を上記フリック開始信号Ｓ３に含ませて表示部２０に出力する。
【００２０】
図３（ｃ）に示すように、表示部２０は、フリック開始信号Ｓ３を受けると、そのフリック開始信号Ｓ３に含まれる推定フリック方向に対応する操作ガイド４１の矢印を拡大する。本例では、右斜め上へフリック操作を開始することによって操作ガイド４１における右上の矢印が拡大される。これにより、ユーザにその方向へのフリック操作を継続するとその方向に地図を送ることができることを認知させることができる。
【００２１】
制御装置１１は、フリック開始信号Ｓ３を出力すると、フリック判定基準座標と現在のタッチ位置との差を判断し、この差が閾値以上となる旨判断するとフリック操作が実行された旨判断する。制御装置１１は、フリック操作が実行された旨判断すると、フリック確定信号Ｓ２を出力する。
【００２２】
図３（ｄ）に示すように、表示部２０は、フリック確定信号Ｓ２を受けると、ディスプレイ２５から操作ガイド４１を消去するとともに、図３（ｃ）の操作ガイド４１において拡大されていた矢印方向に実際に地図を移動させる。
【００２３】
また、表示部２０は、２本指のタッチ操作が解除されたとき操作ガイド４１を消去する。さらに、表示部２０は、操作ガイド４１のうち何れかの矢印を拡大した状態で、その矢印方向と異なる方向にフリック操作が開始された旨認識すると、拡大していた矢印を通常のサイズに戻すとともに、上記異なる方向の矢印を拡大する。
【００２４】
次に、制御装置１１による操作ガイドに係る制御を図４及び図５のフローチャートに沿って説明する。
制御装置１１は、タッチセンサ１４の検出結果を受ける（Ｓ１０１）。そして、制御装置１１はその検出結果に基づき、タッチパッド１３へ２本指のタッチ操作がされているか否かを判断する（Ｓ１０２）。
【００２５】
制御装置１１は、タッチパッド１３への２本指のタッチ操作がされている旨判断すると（Ｓ１０２でＹＥＳ）、２本指のタッチ操作がされた直後であるか否かを判断する（Ｓ１０３）。制御装置１１は、２本指のタッチ操作がされた直後である旨判断すると（Ｓ１０３でＹＥＳ）、タッチされた２点の座標に係る情報を含むタッチ情報信号Ｓ１を出力する（Ｓ１０４）。上述のように、このタッチ情報信号Ｓ１を通じて、ディスプレイ２５に操作ガイド４１が表示される。そして、制御装置１１は、タッチされた２点の中心座標にフリック開始基準座標及びフリック判定基準座標をセットする（Ｓ１０５）。例えば、座標（ｘ０、ｙ０）がタッチされた２点の中心座標の場合には、その座標（ｘ０、ｙ０）をフリック開始基準座標及びフリック判定基準座標とする。
【００２６】
つぎに、制御装置１１は、フリック確定フラグがオフであるか否かを判断する（Ｓ１０６）。制御装置１１は、フリック確定フラグがオンである旨判断すると（Ｓ１０６でＮＯ）、フリック操作が実行されているとして、当該フローチャートに係る処理を終了する。
【００２７】
制御装置１１は、２本指のタッチ操作がされた直後でない旨判断すると（Ｓ１０３でＮＯ）、ステップＳ１０６の処理に移行する。
一方、制御装置１１は、フリック確定フラグがオフである旨判断すると（Ｓ１０６でＹＥＳ）、フリック操作前であるとしてフリック操作ガイドを行うための処理を進める。すなわち、制御装置１１は「Δｘ＋Δｙ＞α」を満たすか否かを判断する（Ｓ１０７）。
【００２８】
フリック操作が開始されたとき、制御装置１１は「Δｘ＋Δｙ＞α」を満たした旨判断し（Ｓ１０７でＹＥＳ）、Δｘ及びΔｙの比率に基づき推定フリック方向を検出する（Ｓ１０８）。制御装置１１は、検出した推定フリック方向が現在の推定フリック方向と異なると判断した場合（Ｓ１０９でＹＥＳ）、フリック開始信号Ｓ３を出力する（Ｓ１１０）。上述のように、このフリック開始信号Ｓ３を通じて操作ガイド４１の何れかの矢印が拡大される。ここで、２点のタッチ操作がされた直後であって推定フリック方向が検出されていない場合には、ステップＳ１０９にてＹＥＳと判断される。
【００２９】
そして、制御装置１１はフリック開始基準座標を現在の中心座標に再びセットする（Ｓ１１１）。つぎに、制御装置１１は、上記ステップＳ１０５にてセットされたフリック判定基準座標と現在のタッチ中心位置との差に基づきフリック操作の有無を判断する（Ｓ１１２）。
【００３０】
制御装置１１は、フリック操作がある旨判断すると（Ｓ１１２でＹＥＳ）、フリック確定信号Ｓ２を出力し（Ｓ１１３）、フリック判定基準座標をリセットし（Ｓ１１４）、フリック確定フラグをセットする（Ｓ１１５）。上述のように、このフリック確定信号Ｓ２を通じてディスプレイ２５に表示される地図が移動する。以上で、制御装置１１はフローチャートに係る処理を終了する。
【００３１】
一方、制御装置１１は、フリック操作がない旨判断すると（Ｓ１１２でＮＯ）、フリック確定信号Ｓ２の出力等を行うことなく、フローチャートに係る処理を終了する。
また、制御装置１１は、検出した推定フリック方向が現在の推定フリック方向と同一であると判断した場合（Ｓ１０９でＮＯ）、上記ステップＳ１１１に移行する。以後同様に処理を行う。
【００３２】
また、制御装置１１は、タッチパッド１３への２本指のタッチ操作がされていない旨判断すると（Ｓ１０２でＮＯ）、タッチオフ操作された直後であるか否かを判断する（Ｓ１１６）。タッチオフ操作とは、１本指又は２本指のタッチ状態が解除されてタッチパッド１３に何れの指も接触していない状態とされることをいう。制御装置１１は、タッチオフ操作された直後でない旨判断すると（Ｓ１１６でＮＯ）、フローチャートに係る処理を終了する。制御装置１１は、タッチオフ操作された直後である旨判断すると（Ｓ１１６でＹＥＳ）、フリック確定フラグ、フリック判定基準座標、フリック開始基準座標及び推定フリック方向をそれぞれリセットする（Ｓ１１７〜Ｓ１２０）。これにより、再びフリック操作が開始されたときには、適切に操作ガイド４１が表示される。以上で、制御装置１１はフローチャートに係る処理を終了する。
【００３３】
以上、説明した実施形態によれば、以下の効果を奏することができる。
（１）ユーザが２本の指を通じてなぞり操作（フリック操作）を開始すると、そのフリック操作を継続した場合に実行される制御内容を示す操作ガイド４１がディスプレイ２５に表示される。上記実施形態では、操作ガイド４１の何れかの矢印が拡大される。これにより、ユーザは操作ガイド４１を見つつ、なぞり操作を継続するか否かを決めることができる。従って、ユーザをより正確な操作に導くことができる。
【００３４】
なお、上記実施形態は、これを適宜変更した以下の形態にて実施することができる。
・上記実施形態においては、ディスプレイ２５には地図が表示されていたが、地図以外、例えば図６に示すように、アイコン５０ａ〜５０ｆを表示してもよい。この場合、例えば、１本の指でなぞり操作された場合、制御装置１１は表示部２０を通じてなぞり操作距離及びなぞり操作方向に応じて画面上のカーソル５１を移動させるとともに、カーソル５１が位置するアイコン５０ａ〜５０ｆを選択した状態とする。また、フリック操作された場合には、制御装置１１は表示部２０を通じて画面自体が他の画面に切り替わる、若しくは画面がスクロールする。本構成においても、フリック操作の開始時に、ディスプレイ２５に操作ガイドを表示することで、ユーザをより正確な操作に導くことができる。
【００３５】
・上記実施形態において、１本指を通じたなぞり操作が開始されたときに、その後に操作が継続されればカーソル４２が移動する旨の操作ガイドをディスプレイ２５に表示させてもよい。本構成においては、１本指を通じたなぞり操作を通じた操作結果をユーザに操作実行前に認知させることができる。
【００３６】
・上記実施形態においては、操作ガイド４１は図形（矢印）であったが、操作ガイドとして文字が表示されてもよい。また、操作ガイドとして図形及び文字が同時に表示されてもよい。この構成によれば、ユーザに操作ガイドの内容をより確実に認知させることができる。
【００３７】
・上記実施形態においては、指の本数に応じて異なる操作が可能であったが、操作態様に応じて異なる操作を可能としてもよい。例えば、２本の指をタッチパッド１３にタッチした状態で、その２本の指の距離を変化させるピンチ操作にあたって操作ガイドを表示させてもよい。例えば、このピンチ操作を通じて表示される地図の拡大又は縮小が可能となる。この場合、２本の指がタッチされたとき、若しくはタッチされた２本の指の距離が僅かに変化すると、操作ガイドとしてピンチ操作を連想させる絵文字、又は虫眼鏡を表示させたり、地図の拡大度を示すスケールを表示させたりする。これにより、ピンチ操作を実行する前に、実際にピンチ操作を行った場合の制御内容をユーザに認知させることができる。
【００３８】
さらに、タッチパッド１３の周辺に、押し操作が可能なシフトキーを設けてもよい。この場合、同じ１本指を通じたなぞり操作であっても、シフトキーを押しつつなぞり操作した場合と、シフトキーを押さずになぞり操作した場合とで異なる制御内容を実現することができる。例えば、制御装置１１は、表示部２０を通じてシフトキーを押さずになぞり操作された場合にはカーソル４２を移動させ、シフトキーを押しつつなぞり操作された場合には、そのなぞり操作開始時に操作ガイド４１を表示する。本構成においても、ユーザをより正確な操作に導くことができる。
【００３９】
・上記実施形態において、３本以上の指を通じてなぞり操作を可能としてもよい。この場合にも、指の本数に応じて操作内容を異ならせる。よって、タッチされた指の本数に応じた操作ガイドを表示することで、ユーザをより正確な操作に導くことができる。
【００４０】
・タッチパッド１３の位置は上記実施形態に限らず、例えば、ステアリング又はダッシュボード１に設けられていてもよい。
・さらに、タッチパッド１３を省略して、ディスプレイ２５を直接タッチ操作可能な構成であってもよい。
【００４１】
・上記実施形態におけるタッチ式入力装置１０を車両以外の電気機器に適用してもよい。
・上記実施形態においては、タッチセンサ１４として静電容量方式が採用されていたが、その他、抵抗膜方式、表面弾性波方式、赤外線方式又は電磁誘導方式を採用してもよい。
【００４２】
・上記実施形態における制御装置１１の制御内容の一部を表示部２０が行ったり、反対に表示部２０の制御内容の一部を制御装置１１が行ったりしてもよい。また、制御装置１１がタッチ式入力装置１０における全ての制御を実行してもよい。この場合、制御装置１１と表示部２０との間の信号の授受が不要となる。
【００４３】
なお、上記実施形態は、これを適宜変更した以下の形態にて実施することができる。
（イ）前記制御部は１本の指でなぞり操作されたとき、前記ディスプレイに表示されるカーソルを移動させ、複数本の指でなぞり操作されたとき、前記ディスプレイに表示される画面を変更することを特徴とするタッチ式入力装置。
【００４４】
（ロ）前記検出部は、前記ディスプレイと別に構成されるタッチパッドであることを特徴とするタッチ式入力装置。
（ハ）タッチ式入力装置は車載されることを特徴とするタッチ式入力装置。
【符号の説明】
【００４５】
１０…タッチ式入力装置、１１…制御装置、１３…タッチパッド、１４…タッチセンサ、２０…表示部、２５…ディスプレイ。
【図１】
2014137728.tif 000003
【図２】
2014137728.tif 000004
【図３】
2014137728.tif 000005
【図４】
2014137728.tif 000006
【図５】
2014137728.tif 000007
【図６】
2014137728.tif 000008